(57)【要約】  入力装置は、基準平面に沿った第１方向および前記基準平面に沿った第２方向にスライド移動が可能な操作部と、前記操作部のスライド移動を検知するスライド検知部と、を備える。前記スライド検知部は、揺動体と揺動検知部とを有し、前記揺動体は、前記操作部のスライド移動に伴って、前記基準平面に対して傾斜し、前揺動検知部は、前記揺動体の傾斜を検知する。
2019087608.tif 000002
【特許請求の範囲】
【請求項１】
基準平面に沿った第１方向および前記基準平面に沿った第２方向にスライド移動が可能な操作部と、
前記操作部のスライド移動を検知するスライド検知部と、
を備え、
前記スライド検知部は、揺動体と揺動検知部とを有し、
前記揺動体は、前記操作部のスライド移動に伴って、前記基準平面に対して傾斜し、
前揺動検知部は、前記揺動体の傾斜を検知する
ことを特徴とする入力装置。
【請求項２】
前記揺動検知部は、前記揺動体と接触することにより前記揺動体の傾斜を検知する
ことを特徴とする請求項１に記載の入力装置。
【請求項３】
前記揺動検知部は、前記揺動体と導通することにより前記揺動体との接触を検知する
ことを特徴とする請求項２に記載の入力装置。
【請求項４】
前記揺動体は、スライド移動した前記操作部をスライド移動する前の位置に復帰させる復帰カムを兼ねている
ことを特徴とする請求項１〜３のいずれか１項に記載の入力装置。
【請求項５】
前記第１方向と前記第２方向とは、直交している
ことを特徴とする請求項１〜４のいずれか１項に記載の入力装置。
【請求項６】
前記揺動検知部は、第１検知部と第２検知部を有し、
前記第１検知部は、前記揺動体の前記第１方向の端部および前記揺動体の前記第１方向と反対の方向の端部とに設けられ、前記操作部の前記第１方向へのスライド移動に伴う前記揺動体の傾斜を検知し、
前記第２検知部は、前記揺動体の前記第２方向の端部および前記揺動体の前記第２の方向と反対の方向の端部に設けられ、前記操作部の前記第２方向へのスライド移動に伴う前記揺動体の傾斜を検知する
ことを特徴とする請求項５に記載の入力装置。
【請求項７】
前記操作部は、リング状の外側リブを有し、
前記揺動体は、前記外側リブの内側に配置されたリング状の内側リブを有し、
前記操作部がスライド移動すると、前記操作部の前記外側リブが前記揺動体の前記内側リブを摺動し、前記揺動体が傾斜する
ことを特徴とする請求項１〜６のいずれか１項に記載の入力装置。
【発明の詳細な説明】
【技術分野】
【０００１】
本開示は、入力装置に関し、より詳細には回転操作入力及びスライド操作入力が可能な入力装置に関する。
【背景技術】
【０００２】
従来、回転操作及び摺動操作（スライド操作）が可能な多方向操作スイッチ（入力装置）が開示されている（例えば、特許文献１参照）。特許文献１の多方向操作スイッチでは、固定体内に、摺動ケースと配線基板から形成された摺動体とを摺動可能に収納する。また、固定体内に、互いに略直交する方向に移動可能に、固定体と摺動体の間に第一の可動体および第二の可動体が装着されている。固定体と摺動体との間に第一のスイッチ接点としてのレバースイッチが形成されている。摺動体と回転体との間に第二のスイッチ接点が形成されている。摺動体の揺動によって第一のスイッチ接点の電気的接離が行われる。回転体の回転によって第二のスイッチ接点の電気的接離が行われる。
【先行技術文献】
【特許文献】
【０００３】
【特許文献１】特開２００３−３０８７５９号公報
【発明の概要】
【０００４】
本開示の一態様に係る入力装置は、基準平面に沿った第１方向および前記基準平面に沿った第２方向にスライド移動が可能な操作部と、前記操作部のスライド移動を検知するスライド検知部と、を備え、前記スライド検知部は、揺動体と揺動検知部とを有し、前記揺動体は、前記操作部のスライド移動に伴って、前記基準平面に対して傾斜し、前揺動検知部は、前記揺動体の傾斜を検知することを特徴とする。
【０００５】
本開示の入力装置では、小型化を図ることができるという効果がある。
【図面の簡単な説明】
【０００６】
【図１】図１は、本開示の実施形態に係る入力装置の分解斜視図である。
【図２Ａ】図２Ａは、図１に示す入力装置の平面図である。
【図２Ｂ】図２Ｂは、図１に示す入力装置の正面図である。
【図２Ｃ】図２Ｃは、図１に示す入力装置の下面図である。
【図３】図３は、図１に示す入力装置をタッチパネル上に配置した状態の斜視図である。
【図４】図４は、図１に示す入力装置における操作部、連結体、及び回転体の分解斜視図である。
【図５】図５は、図１に示す入力装置における操作部、連結体、及び回転体の別方向からの分解斜視図である。
【図６】図６は、図１に示す入力装置におけるベースの平面図である。
【図７】図７は、図１に示す入力装置における複数の固定電極の平面図である。
【図８】図８は、図１に示す入力装置における断面図である。
【図９】図９は、図１に示す入力装置における操作部がスライド移動した状態の断面図である。
【発明を実施するための形態】
【０００７】
以下に説明する各実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【０００８】
（１）概要
本実施形態の入力装置１００の分解斜視図を図１に示す。入力装置１００の平面図を図２Ａに示し、正面図を図２Ｂに示し、下面図を図２Ｃに示す。
【０００９】
以下の説明では、図２Ａにおける左右方向を方向Ｄ１、図２Ａにおける上下方向を方向Ｄ２とする。方向Ｄ１と方向Ｄ２とは、直交している。また、方向Ｄ１及び方向Ｄ２に交差する斜め方向を方向Ｄ３、方向Ｄ４とする。方向Ｄ３と方向Ｄ４とは直交している。方向Ｄ３は、方向Ｄ１及び方向Ｄ２に対して４５°傾斜している。方向Ｄ４は、方向Ｄ１及び方向Ｄ２に対して４５°傾斜している。方向Ｄ１〜方向Ｄ４は同一平面に沿い、その平面を基準平面という。また、図２Ｂにおける上下方向を方向Ｄ５とする。方向Ｄ５は、基準平面に対して直交している。なお、方向Ｄ１〜方向Ｄ５の交差角度は、誤差の範囲で直交（９０度）、又は４５度からずれていてもよい。
【００１０】
本実施形態の入力装置１００は、回転操作入力、スライド操作入力、及びプッシュ操作入力のそれぞれを独立して入力可能な複合操作型入力装置である。入力装置１００は、ユーザからの回転操作入力、及びスライド操作入力を受け付ける操作部１と、ユーザからのプッシュ操作入力を受け付ける押圧体８３と、操作部１及び押圧体８３を保持するベース４と、を備えている。
【００１１】
操作部１は、平面視が略円形に形成されており、ベース４に対して回転移動が可能に構成されている。操作部１の回転軸は、操作部１の中心を通り方向Ｄ５に沿っている。図２Ａにおいて、操作部１の回転方向をＤ６で示す。
【００１２】
また、操作部１は、方向Ｄ１〜方向Ｄ４が沿う基準平面内において、ベース４に対してスライド移動が可能に構成されている。操作部１は、基準平面内において、基準位置を中心として３６０°の方向にスライド移動が可能である。基準位置とは、操作部１の中心と、ベース４の中心とが方向Ｄ５に重なる位置である。本実施形態の入力装置１００は、操作部１における、基準位置を中心とした方向Ｄ１〜方向Ｄ４それぞれに沿った８つの向きのスライド移動を検知するように構成されている。
【００１３】
押圧体８３は、ベース４に対して、方向Ｄ５に沿った方向に移動可能に構成されている。押圧体８３は、ユーザからプッシュ操作入力を受け付けると、方向Ｄ５に沿ってベース４に近付く向きに移動する。本実施形態の入力装置１００は、押圧体８３における、方向Ｄ５に沿ってベース４に近付く向きの移動を検知するように構成されている。
【００１４】
図３に示すように、本実施形態の入力装置１００は、静電容量式のタッチパネル２００上に配置される。詳細は後述するが、入力装置１００は、複数の固定電極５（図２Ｃ参照）を備えている。入力装置１００は、複数の固定電極５が、タッチパネル２００が有する複数のセンサ電極と対向するように配置される。入力装置１００は、タッチパネル２００上に設けられた円環状の保持部材１０１によって、位置決め及び固定される。入力装置１００への回転操作入力、スライド操作入力、プッシュ操作入力に応じて、入力装置１００の固定電極５と、タッチパネル２００のセンサ電極との間の電気的状態が変化する。複数のセンサ電極は、操作検知回路３００に電気的に接続されている。操作検知回路３００は、複数の固定電極５と複数のセンサ電極との間に形成される静電容量の変化を検出することにより、ユーザが入力装置１００に対して行った回転操作入力、スライド操作入力、プッシュ操作入力を検知する。具体的には、操作検知回路３００は、回転操作入力による操作部１の回転方向（向き）、回転角度、回転移動速度等を検知する。また、操作検知回路３００は、スライド操作入力による操作部１の、方向Ｄ１〜方向Ｄ４それぞれに沿った８つの向きのスライド移動を検知する。操作検知回路３００は、例えば、プロセッサ及びメモリを有するマイクロコンピュータで構成されている。つまり、操作検知回路３００は、プロセッサ及びメモリを有するコンピュータシステムで実現されている。そして、プロセッサが適宜のプログラムを実行することにより、コンピュータシステムが操作検知回路３００として機能する。プログラムは、メモリに予め記録されていてもよいし、インターネット等の電気通信回線を通じて、又はメモリカード等の非一時的な記録媒体に記録されて提供されてもよい。
【００１５】
（２）構成
以下に、本実施形態の入力装置１００の詳細な構成について図１〜図９を参照して説明する。以下では説明の便宜上、方向Ｄ５（図１、図２Ｂ参照）を上下方向とし、ベース４に対して操作部１側を上側、操作部１に対してベース４側を下側として説明する。なお、以下の説明で用いる「上下方向」は、入力装置１００の使用時の方向を規定するものではない。本開示で用いる方向を示す用語は、相対的な位置関係を示しているだけである。
【００１６】
図１に示すように、本実施形態の入力装置１００は、操作部１と、連結体２と、回転体３と、ベース４と、揺動体６と、復帰ばね６０と、クリックばね３０と、固定部材７と、を備えている。入力装置１００は、可動接点８１と、弾性体８２と、押圧体８３と、をさらに備えている。
【００１７】
まず、操作部１、連結体２、及び回転体３の構成について図４及び図５を用いて説明する。なお、図４及び図５は、操作部１と連結体２と回転体３との関係を説明するための分解斜視図であり、入力装置１００における操作部１、連結体２、及び回転体３以外の構成要素の図示を省略している。
【００１８】
操作部１は、電気絶縁性を有する樹脂等で構成されており、ユーザからの回転操作入力、及びスライド操作入力を受け付ける。操作部１は、本体部１１と周壁１２とを有する。本体部１１は、平面視が円形に形成されている。平面視における本体部１１の中央部には、円形の貫通孔１３が形成されている。貫通孔１３には、ベース４の内側隔壁部４４（図１参照）が挿通される。周壁１２は、本体部１１の外周縁から下向きに突出するように形成されている。この周壁１２により、本体部１１の下面側に、周壁１２で囲まれた収納空間１７が形成されている（図５参照）。収納空間１７は、下面が開口した空間である。この収納空間１７には、連結体２が収納される。連結体２は、本体部１１および周壁１２によって囲まれる空間（収納空間１７）に位置する。
【００１９】
なお、周壁１２は必ずしも本体部１１の外周縁から突出する必要はない。たとえば、周壁１２は、本体部１１の外周縁より少し内側に形成されていてもよい。
【００２０】
図５に示すように、本体部１１の下面には、一対の第１突出部１４が形成されている。一対の第１突出部１４は、本体部１１（貫通孔１３）の中心を通る方向Ｄ１に沿った直線上に形成されている。一対の第１突出部１４は、本体部１１（貫通孔１３）の中心に対して方向Ｄ１の一方側と他方側とに形成されている。第１突出部１４は、円筒状に形成されている。一対の第１突出部１４は、操作部１の下方に配置される連結体２が有する一対の第１開口部２１を挿通する。
【００２１】
また、本体部１１は、下面における一対の第１突出部１４の周囲に、一対の第１凹部１５が形成されている（図５参照）。言い換えれば、一対の第１突出部１４は、一対の第１凹部１５の底面から突出するように形成されている。第１凹部１５は、方向Ｄ１を長手方向とする略矩形状に形成されている。一対の第１凹部１５は、操作部１の下方に配置される連結体２が有する一対の第１開口部２１と上下方向に対向する。一対の第１凹部１５それぞれの内側には、連結体２における一対の第１開口部２１の周囲に形成された第１切り起し片２４（図４参照）が入る。
【００２２】
また、本体部１１は、下面において、本体部１１（貫通孔１３）の中心を通る方向Ｄ２に沿った直線上に一対の第２凹部１６が形成されている（図５参照）。一対の第２凹部１６は、本体部１１（貫通孔１３）の中心に対して方向Ｄ２の一方側と他方側とに形成されている。一対の第２凹部１６は、方向Ｄ１を長手方向とする略矩形状に形成されている。一対の第２凹部１６は、操作部１の下方に配置される連結体２が有する一対の第２開口部２２と上下方向に対向する。一対の第２凹部１６それぞれの内側には、連結体２における一対の第２開口部２２の周囲に形成された第２切り起し片２５（図４参照）が入る。
【００２３】
図５に示すように、本体部１１の下面には、複数（本実施形態では１２個）の第１ボス１１１が形成されている。複数の第１ボス１１１は、本体部１１（貫通孔１３）の中心に対して、周方向に略等間隔に形成されている。複数の第１ボス１１１の各々は、円柱状に形成されている。第１ボス１１１は、第１突出部１４よりも方向Ｄ５の突出寸法が小さい。第１ボス１１１の下端は、第１突出部１４の下端よりも上方に位置している。複数の第１ボス１１１により、本体部１１の下面が連結体２の上面と接触することが抑制される。つまり、複数の第１ボス１１１により、操作部１と連結体２との接触面積が低減する。これにより、操作部１と連結体２との間の摩擦力が低減し、操作部１をスライド移動させやすくなる。
【００２４】
また、本体部１１の下面における貫通孔１３の周縁から下方に向かって外側リブ１８が形成されている。外側リブ１８は、リング状に形成されている。外側リブ１８の内周面は、下端部から上方に向かうにつれて貫通孔１３の中心に近付くように傾斜している（図８参照）。外側リブ１８は、後述する揺動体６と接触する。
【００２５】
また、本体部１１における貫通孔１３の周囲に４つの貫通孔１１２が形成されている。４つの貫通孔１１２は、本体部１１（貫通孔１３）の中心を通る方向Ｄ３及び方向Ｄ４に沿った直線上に形成されている。４つの貫通孔１１２は、本体部１１（貫通孔１３）の中心に対して、方向Ｄ３の一方側及び他方側と、方向Ｄ４の一方側及び他方側に形成されている。４つの貫通孔１１２には、操作部１の上方に配置される押圧体８３が有する４つの爪部８３１が通る（図１参照）。押圧体８３については後述する。
【００２６】
連結体２は、操作部１と回転体３とで上下方向（方向Ｄ５）に挟まれるように配置されている。連結体２は、操作部１と回転体３とを連結しており、操作部１の回転動作を回転体３に伝えるように構成されている。
【００２７】
連結体２は、操作部１の収納空間１７に収納されるように配置されている。連結体２は、上下方向（方向Ｄ５）を厚さ方向とする金属板で構成されている。連結体２は、リング状に形成されており、平面視における中央部に略円形の貫通孔２３を有する。連結体２は、外周縁が円形である。連結体２は、一対の第１開口部２１と、一対の第２開口部２２とを有する。
【００２８】
一対の第１開口部２１は、連結体２（貫通孔２３）の中心を通る方向Ｄ１に沿った直線上に形成されている。一対の第１開口部２１は、連結体２（貫通孔２３）の中心に対して方向Ｄ１の一方側と他方側とに形成されている。一対の第１開口部２１は、連結体２を上下方向（方向Ｄ５）に貫通する貫通孔である。一対の第１開口部２１は、方向Ｄ１を長手方向とする略矩形状に形成されている。
【００２９】
一対の第１開口部２１には、操作部１の一対の第１突出部１４が挿通されている。これにより、連結体２と操作部１とが機械的に結合される。方向Ｄ１において、第１開口部２１の寸法は、第１突出部１４の寸法よりも大きい。したがって、操作部１は、第１開口部２１の範囲内において、連結体２に対して、方向Ｄ１に沿って相対的にスライド移動可能となる。操作部１が基準位置にある場合、第１突出部１４は、第１開口部２１内において方向Ｄ１の略中央部に位置している。したがって、操作部１は、連結体２に対して、基準位置から方向Ｄ１の一方側及び他方側に向かって相対的にスライド移動可能となる。
【００３０】
また、方向Ｄ２において、第１開口部２１の寸法は、第１突出部１４の寸法よりも僅かに大きい。つまり、操作部１は、第１開口部２１と第１突出部１４との寸法関係により、連結体２に対する相対的なスライド移動の方向が方向Ｄ１のみとなるように規制されている。したがって、操作部１が回転移動した場合、第１開口部２１の内周面に操作部１の第１突出部１４が接触し、操作部１の回転に伴って連結体２も回転する。
【００３１】
また、一対の第１開口部２１の縁から上方に突出するように第１切り起し片２４が形成されている。第１切り起し片２４は、第１開口部２１における方向Ｄ２に対向する縁に形成されている。第１切り起し片２４により、操作部１の回転に伴って連結体２が回転する際に、連結体２と操作部１の第１突出部１４との接触面積が増加し、第１突出部１４の損傷を抑制することができる。
【００３２】
操作部１において、本体部１１の下面には、第１切り起し片２４と対向する位置に第１凹部１５が形成されている。第１切り起し片２４の上端部が第１凹部１５に入ることにより、第１切り起し片２４と操作部１との干渉（接触）が抑制される。また、第１凹部１５は、方向Ｄ１を長手方向とするように形成されている。したがって、操作部１が連結体２に対して方向Ｄ１にスライド移動したとしても、連結体２の第１切り起し片２４と操作部１との干渉（接触）が抑制される。
【００３３】
一対の第２開口部２２は、連結体２（貫通孔２３）の中心を通る方向Ｄ２に沿った直線上に形成されている。一対の第２開口部２２は、連結体２（貫通孔２３）の中心に対して方向Ｄ２の一方側と他方側とに形成されている。一対の第２開口部２２は、連結体２を上下方向（方向Ｄ５）に貫通する貫通孔である。一対の第２開口部２２は、方向Ｄ２を長手方向とする矩形状に形成されている。一対の第２開口部２２には、連結体２の下方に配置される回転体３が有する一対の第２突出部３５が挿通される。これにより、連結体２と回転体３とが機械的に結合される。方向Ｄ２において、第２開口部２２の寸法は、第２突出部３５の寸法よりも大きい。したがって、連結体２は、第２開口部２２の範囲内において、回転体３に対して、方向Ｄ２に沿って相対的にスライド移動可能となる。
【００３４】
また、方向Ｄ１において、第２開口部２２の寸法は、第２突出部３５の寸法よりも僅かに大きい。つまり、連結体２は、第２開口部２２と第２突出部３５との寸法関係により、回転体３に対する相対的なスライド移動の方向が方向Ｄ２のみとなるように規制されている。したがって、操作部１の回転に伴って連結体２が回転移動した場合、第２開口部２２の内周面に回転体３の第２突出部３５が接触し、操作部１及び連結体２の回転に伴って回転体３も回転する。
【００３５】
なお、操作部１がスライド移動、及び回転移動した際の連結体２、回転体３の動作については、後述の「（３）動作例」の欄で詳細に説明する。
【００３６】
また、一対の第２開口部２２の縁から上方に突出するように第２切り起し片２５が形成されている。第２切り起し片２５は、第２開口部２２における方向Ｄ１に対向する縁に形成されている。第２切り起し片２５により、連結体２の回転に伴って回転体３が回転する際に、連結体２と回転体３の第２突出部３５との接触面積が増加し、第２突出部３５の損傷を抑制することができる。
【００３７】
操作部１において、本体部１１の下面には、第２切り起し片２５と対向する位置に第２凹部１６が形成されている。第２切り起し片２５の上端部が第２凹部１６に入ることにより、第２切り起し片２５と操作部１との干渉（接触）が抑制される。また、第２凹部１６は、方向Ｄ１を長手方向とするように形成されている。したがって、操作部１が連結体２に対して方向Ｄ１にスライド移動したとしても、連結体２の第２切り起し片２５と操作部１との干渉（接触）が抑制される。
【００３８】
回転体３は、リング状に形成されており、平面視における中央部に円形の貫通孔３４を有している。回転体３は、外周縁が略円形である。回転体３は、ベース４内において連結体２の下側に配置される（図１参照）。回転体３は、本体部３１と、凹凸部３２と、回転端子部３３と、を有する。
【００３９】
本体部３１は、電気絶縁性を有する樹脂等で構成されており、円筒状に形成されている。図４に示すように、本体部３１の上面には、一対の第２突出部３５が形成されている。一対の第２突出部３５は、本体部３１（貫通孔３４）の中心を通る方向Ｄ２に沿った直線上に形成されている。一対の第２突出部３５は、本体部３１（貫通孔３４）の中心に対して方向Ｄ２の一方側と他方側とに形成されている。第２突出部３５は、円筒状に形成されている。一対の第２突出部３５は、連結体２の一対の第２開口部２２に挿通される。これにより、連結体２と回転体３とが機械的に結合される。
【００４０】
また、本体部３１の上面には、複数（本実施形態では１２個）の第２ボス３１１が形成されている。複数の第２ボス３１１は、本体部３１（貫通孔３４）の中心に対して、周方向に略等間隔に形成されている。複数の第２ボス３１１の各々は、円柱状に形成されている。第２ボス３１１は、第２突出部３５よりも方向Ｄ５の突出寸法が小さい。第２ボス３１１の上端は、第２突出部３５の上端よりも下方に位置している。複数の第２ボス３１１により、本体部３１の上面が連結体２の下面と接触することが抑制される。つまり、複数の第２ボス３１１により、回転体３と連結体２との接触面積が低減する。これにより、回転体３と連結体２との間の摩擦力が低減し、操作部１のスライド移動に伴う連結体２のスライド移動をさせやすくなる。
【００４１】
凹凸部３２は、本体部３１の内周面に沿って円環状に形成されている。凹凸部３２は、上方に突出した複数の凸部３２１と、下方に窪んだ複数の凹部３２２と、が周方向に沿って交互に並んで形成されている。凹凸部３２の上方には、円環状のクリックばね３０が配置される（図１参照）。クリックばね３０は、例えば金属板で構成されており、上下方向（方向Ｄ５）に弾性を有している。クリックばね３０は、回転体３の貫通孔３４内における凹凸部３２の上方に、凹凸部３２と接触するようにベース４に固定されている。クリックばね３０は、凹凸部３２に向かって突出した一対の突部３０１を有している。回転体３が回転すると、凹凸部３２の凸部がクリックばね３０の突部３０１に接触してクリックばね３０が弾性変形し、弾性変形した状態から復帰することによって、クリック感が得られる。つまり、回転体３が有する凹凸部３２と、ベース４に固定されたクリックばね３０とによって、操作部１を回転させた際にクリック感を発生させるクリック機構を構成している。
【００４２】
回転端子部３３は、本体部３１の下面に配置されている（図５参照）。回転端子部３３は、金属板で構成されており、インサート成形によって本体部３１と一体に形成されている。回転端子部３３は、本体部３１の下面における外周縁に沿って円環状に形成されている。回転端子部３３の外周部３３１には、矩形状の複数の開口部３３３が周方向に沿って等間隔に形成されている。つまり、回転端子部３３の外周部３３１は、周方向において導電部と非導電部（本体部３１）とが交互に並んでいる。また、回転端子部３３の内周部３３２は、導電部のみで構成されている。
【００４３】
次に、ベース４について図１、図６、図７を参照して説明する。ベース４は、本体部４１と、複数の固定電極５と、を有する。
【００４４】
本体部４１は、有底円筒状に形成されており、回転体３と、クリックばね３０と、揺動体６と、復帰ばね６０と、を収納する。本体部４１は、外側隔壁部４３と、内側隔壁部４４と、を有する。
【００４５】
外側隔壁部４３は、本体部４１の底面から上方に突出するように形成されている。外側隔壁部４３は、本体部４１の底面の中央部を中心とした円周上に形成されている。本実施形態では、外側隔壁部４３は、本体部４１の底面から突出した複数（４つ）の外側突出壁４３１で構成されている。複数の外側突出壁４３１は、周方向において離れている。複数の外側突出壁４３１のうち、方向Ｄ２に対向する２つの外側突出壁４３１は、クリックばね３０を固定するための爪部４３２を有している。本体部４１の周壁４２と外側隔壁部４３との間に、回転体３が配置される。
【００４６】
内側隔壁部４４は、本体部の底面から上方に突出するように形成されている。内側隔壁部４４は、本体部４１の底面の中央部を中心とした円周上に形成されている。内側隔壁部４４は、外側隔壁部４３の内側に形成されている。本実施形態では、内側隔壁部４４は、本体部４１の底面から突出した複数（８つ）の内側突出壁４４１で構成されている。複数の内側突出壁４４１は、周方向において離れている。外側隔壁部４３と内側隔壁部４４との間には、揺動体６及び復帰ばね６０が配置される。内側隔壁部４４の内側には、可動接点８１及び弾性体８２が配置される。
【００４７】
複数の固定電極５の各々は、金属板で構成されており、インサート成形によって本体部４１と一体に形成されている（図２Ｃ、図６参照）。複数の固定電極５の各々は、一部が本体部４１の底面から上方に露出している。図６では、複数の固定電極５にドットハッチングを付している。複数の固定電極５を区別する場合、基準電極５１、第１回転用電極５２、第２回転用電極５３、第１スライド用電極５４、第２スライド用電極５５、第３スライド用電極５６、第４スライド用電極５７、プッシュ用電極５８という。複数の固定電極５は、本体部４１の底面の中央部を中心とした円周上に配置されている。本実施形態では、図７に示すように、複数の固定電極５の平面視において、時計回りに、基準電極５１、第１スライド用電極５４、第１回転用電極５２、第２スライド用電極５５、プッシュ用電極５８、第３スライド用電極５６、第２回転用電極５３、第４スライド用電極５７の順に配置されている。基準電極５１は、本体部４１の底面の中央部に対して方向−Ｄ１（図６、図７の左側）に配置されている。
【００４８】
基準電極５１は、電極本体５１１と、基準接点部５１２と、突出片５１４と、を有する。
【００４９】
電極本体５１１は、略台形状に形成されている。電極本体５１１は、本体部４１の下側に露出しており、タッチパネル２００に設けられた複数のセンサ電極のうち対応するセンサ電極と対向する。
【００５０】
基準接点部５１２は、一対の接触子５１３を有している。一対の接触子５１３は、電極本体５１１の一部の切り起しにより形成されている。一対の接触子５１３は、方向Ｄ２を長手方向とするように形成されている。一対の接触子５１３は、上下方向に弾性を有する。一対の接触子５１３の先端部は、本体部４１における周壁４２と外側隔壁部４３との間に形成された矩形状の開口部４５１を介して、本体部４１の底面よりも上方に突出している。一対の接触子５１３は、回転体３が有する回転端子部３３の内周部３３２に接触する。回転端子部３３の内周部３３２は、導電体のみで構成されている。したがって、一対の接触子５１３は、回転体３の回転角度に関わらず、回転端子部３３に接触する。つまり、回転体３の回転角度に関わらず、基準電極５１と回転体３の回転端子部３３とが電気的に接続される。
【００５１】
突出片５１４は、図７に示すように、電極本体５１１から本体部４１の中央部に向かって突出している。突出片５１４は、曲げ加工により電極本体５１１よりも上方に位置しており、一部が本体部４１の底面から上方に露出している。突出片５１４は、第１接触部５１５と、第２接触部５１７と、を有している。第１接触部５１５は、本体部４１の底面における内側隔壁部４４の内側から露出している。第１接触部５１５は、第１接触部５１５の中央部に形成された第１開口部５１６を有している。第１接触部５１５上には、第１開口部５１６を跨ぐように可動接点８１が配置される。これにより、基準電極５１と可動接点８１とが電気的に接続される。第２接触部５１７は、第１接触部５１５から方向Ｄ１の両側及び方向Ｄ２の両側に突出するように形成されており、本体部４１の底面における内側隔壁部４４と外側隔壁部４３との間から露出している。第１接触部５１５における電極本体５１１と反対側の端部から突出した第２接触部５１７には、方向Ｄ１に沿って第２開口部５１８が形成されている。各第２接触部５１７上には、復帰ばね６０が配置される。これにより、基準電極５１と復帰ばね６０とが電気的に接続される。
【００５２】
第１回転用電極５２は、電極本体５２１と、回転用接点部５２２と、を有する。
【００５３】
電極本体５２１は、略台形状に形成されている。電極本体５２１は、本体部４１の下側に露出しており、タッチパネル２００に設けられた複数のセンサ電極のうち対応するセンサ電極と対向する。
【００５４】
回転用接点部５２２は、一対の接触子５２３を有している。一対の接触子５２３は、電極本体５２１の一部の切り起しにより形成されている。一対の接触子５２３は、方向Ｄ１を長手方向とするように形成されている。一対の接触子５２３は、上下方向に弾性を有する。一対の接触子５２３の先端部は、本体部４１における周壁４２と外側隔壁部４３との間に形成された矩形状の開口部４５２を介して、本体部４１の底面よりも上方に突出している。一対の接触子５２３は、回転体３が有する回転端子部３３の外周部３３１に接触する。したがって、一対の接触子５２３は、回転体３の回転角度に応じて、回転端子部３３と、回転端子部３３の開口部３３３を介して回転体３の本体部３１とのいずれか一方に接触する。つまり、回転体３の回転角度に応じて、第１回転用電極５２と回転体３の回転端子部３３とが電気的に接続される。
【００５５】
第２回転用電極５３は、電極本体５３１と、回転用接点部５３２と、を有する。
【００５６】
電極本体５３１は、略台形状に形成されている。電極本体５３１は、本体部４１の下側に露出しており、タッチパネル２００に設けられた複数のセンサ電極のうち対応するセンサ電極と対向する。
【００５７】
回転用接点部５３２は、一対の接触子５３３を有している。一対の接触子５３３は、電極本体５３１の一部の切り起しにより形成されている。一対の接触子５３３は、方向Ｄ１を長手方向とするように形成されている。一対の接触子５３３は、上下方向に弾性を有する。一対の接触子５３３の先端部は、本体部４１における周壁４２と外側隔壁部４３との間に形成された矩形状の開口部４５３を介して、本体部４１の底面よりも上方に突出している。一対の接触子５３３は、回転体３が有する回転端子部３３の外周部３３１に接触する。したがって、一対の接触子５３３は、回転体３の回転角度に応じて、回転端子部３３と、回転端子部３３の開口部３３３を介して回転体３の本体部３１とのいずれか一方に接触する。つまり、回転体３の回転角度に応じて、第２回転用電極５３と回転体３の回転端子部３３とが電気的に接続される。
【００５８】
第１スライド用電極５４は、電極本体５４１と、スライド用接点部５４３と、を有する。
【００５９】
電極本体５４１は、略台形状に形成されている。電極本体５４１は、本体部４１の下側に露出しており、タッチパネル２００に設けられた複数のセンサ電極のうち対応するセンサ電極と対向する。また、電極本体５４１は、本体部４１の底面の中央部に向かって突出した突出片５４２を有している。
【００６０】
スライド用接点部５４３は、一対の接触子５４４を有している。一対の接触子５４４は、電極本体５４１及び突出片５４２それぞれの一部の切り起しにより形成されている。一対の接触子５４４は、方向Ｄ４を長手方向とするように形成されている。一対の接触子５４４は、上下方向に弾性を有する。一対の接触子５４４の先端部は、本体部４１における外側隔壁部４３の２つの外側突出壁４３１の間の領域を含んで形成された矩形状の開口部４５４を介して、本体部４１の底面よりも上方に突出している。一対の接触子５４４の先端部は、外側隔壁部４３と内側隔壁部４４との間に位置している。一対の接触子５４４は、揺動体６が傾斜した方向に応じて、揺動体６と接触する。後述の「（３）動作例」の欄で詳細に説明するが、操作部１がスライド移動すると、揺動体６は、傾斜するように構成されている。また、揺動体６は、復帰ばね６０を介して第２接触部５１７（基準電極５１）と電気的に接続されている。したがって、操作部１のスライド方向に応じて、復帰ばね６０及び揺動体６を介して第１スライド用電極５４と基準電極５１とが電気的に接続される。
【００６１】
第２スライド用電極５５は、電極本体５５１と、スライド用接点部５５３と、を有する。
【００６２】
電極本体５５１は、略台形状に形成されている。電極本体５５１は、本体部４１の下側に露出しており、タッチパネル２００に設けられた複数のセンサ電極のうち対応するセンサ電極と対向する。また、電極本体５５１は、本体部４１の底面の中央部に向かって突出した突出片５５２を有している。
【００６３】
スライド用接点部５５３は、一対の接触子５５４を有している。一対の接触子５５４は、電極本体５５１及び突出片５５２それぞれの一部の切り起しにより形成されている。一対の接触子５５４は、方向Ｄ３を長手方向とするように形成されている。一対の接触子５５４は、上下方向に弾性を有する。一対の接触子５５４の先端部は、本体部４１における外側隔壁部４３の２つの外側突出壁４３１の間の領域を含んで形成された矩形状の開口部４５５を介して、本体部４１の底面よりも上方に突出している。一対の接触子５５４の先端部は、外側隔壁部４３と内側隔壁部４４との間に位置している。一対の接触子５５４は、揺動体６が傾斜した方向に応じて、揺動体６と接触する。したがって、操作部１のスライド方向に応じて、復帰ばね６０及び揺動体６を介して第２スライド用電極５５と基準電極５１とが電気的に接続される。
【００６４】
第３スライド用電極５６は、電極本体５６１と、スライド用接点部５６３と、を有する。
【００６５】
電極本体５６１は、略台形状に形成されている。電極本体５６１は、本体部４１の下側に露出しており、タッチパネル２００に設けられた複数のセンサ電極のうち対応するセンサ電極と対向する。また、電極本体５６１は、本体部４１の底面の中央部に向かって突出した突出片５６２を有している。
【００６６】
スライド用接点部５６３は、一対の接触子５６４を有している。一対の接触子５６４は、電極本体５６１及び突出片５６２それぞれの一部の切り起しにより形成されている。一対の接触子５６４は、方向Ｄ４を長手方向とするように形成されている。一対の接触子５６４は、上下方向に弾性を有する。一対の接触子５６４の先端部は、本体部４１における外側隔壁部４３の２つの外側突出壁４３１の間の領域を含んで形成された矩形状の開口部４５６を介して、本体部４１の底面よりも上方に突出している。一対の接触子５６４の先端部は、外側隔壁部４３と内側隔壁部４４との間に位置している。一対の接触子５６４は、揺動体６が傾斜した方向に応じて、揺動体６と接触する。したがって、操作部１のスライド方向に応じて、復帰ばね６０及び揺動体６を介して第３スライド用電極５６と基準電極５１とが電気的に接続される。
【００６７】
第４スライド用電極５７は、電極本体５７１と、スライド用接点部５７３と、を有する。
【００６８】
電極本体５７１は、略台形状に形成されている。電極本体５７１は、本体部４１の下側に露出しており、タッチパネル２００に設けられた複数のセンサ電極のうち対応するセンサ電極と対向する。また、電極本体５７１は、本体部４１の底面の中央部に向かって突出した突出片５７２を有している。
【００６９】
スライド用接点部５７３は、一対の接触子５７４を有している。一対の接触子５７４は、電極本体５７１及び突出片５７２それぞれの一部の切り起しにより形成されている。一対の接触子５７４は、方向Ｄ３を長手方向とするように形成されている。一対の接触子５７４は、上下方向に弾性を有する。一対の接触子５７４の先端部は、本体部４１における外側隔壁部４３の２つの外側突出壁４３１の間の領域を含んで形成された矩形状の開口部４５７を介して、本体部４１の底面よりも上方に突出している。一対の接触子５７４の先端部は、外側隔壁部４３と内側隔壁部４４との間に位置している。一対の接触子５７４は、揺動体６が傾斜した方向に応じて、揺動体６と接触する。したがって、操作部１のスライド方向に応じて、復帰ばね６０及び揺動体６を介して第４スライド用電極５７と基準電極５１とが電気的に接続される。
【００７０】
プッシュ用電極５８は、電極本体５８１と、突出片５８２と、を有する。
【００７１】
電極本体５８１は、略台形状に形成されている。電極本体５８１は、本体部４１の下側に露出しており、タッチパネル２００に設けられた複数のセンサ電極のうち対応するセンサ電極と対向する。
【００７２】
突出片５８２は、図７に示すように、電極本体５８１から本体部４１の中央部に向かって突出している。突出片５８２は、基準電極５１の突出片５１４における第２接触部５１７の第２開口部５１８を通るように形成されている。突出片５８２の先端部５８３は、基準電極５１の突出片５１４における第１接触部５１５の中央部に形成された第１開口部５１６の内側に位置している。先端部５８３は、曲げ加工により電極本体５８１よりも上方に位置しており、本体部４１の底面における内側隔壁部４４の内側から上方に露出している。先端部５８３は、第１開口部５１６を跨ぐように第１接触部５１５に配置された可動接点８１と上下方向に対向する。詳しくは後述するが、可動接点８１は、上方に凸となるようにドーム状に形成されており、押圧体８３が押されると、下方に凹むように構成されている。したがって、押圧体８３が押されると、可動接点８１を介してプッシュ用電極５８と基準電極５１とが電気的に接続される。
【００７３】
次に、揺動体６及び復帰ばね６０について図１、図８を参照して説明する。
【００７４】
揺動体６は、導電性を有する金属等で構成されており、リング状に形成されている。揺動体６は、接触部６１と内側リブ６２とを有する。
【００７５】
接触部６１は、中央部に円形の貫通孔６３を有する円板状に形成されている。内側リブ６２は、貫通孔６３の全周から上方向に突出するように形成されている。つまり、内側リブ６２は、リング状に形成されている。内側リブ６２は、上方に向かうにつれて貫通孔６３の中心に近付くように傾斜している。また、内側リブ６２は、上端部の全周から貫通孔６３の中心に向かって突出した鍔部６４を有する。
【００７６】
揺動体６は、操作部１の外側リブ１８と接触するように配置される。具体的には、図８に示すように、揺動体６は、接触部６１の上面が外側リブ１８の下面と接触し、内側リブ６２の外周面が外側リブ１８の内周面と接触するように配置されている。つまり、揺動体６の内側リブ６２は、操作部１の外側リブ１８の内側に位置している。後述の「（３）動作例」の欄で詳細に説明するが、操作部１のスライド移動によって揺動体６が傾斜（揺動）し、スライド用接点部５４３，５５３，５６３，５７３のうち１つ又は２つのスライド用接点部と接触する。
【００７７】
復帰ばね６０は、金属製のコイルスプリングである。復帰ばね６０は、揺動体６の貫通孔６３の内側に配置される。具体的には、復帰ばね６０は、上下方向に弾性を有し、揺動体６の鍔部６４の下面に接触するように配置される。また、復帰ばね６０は、ベース４における内側隔壁部４４と外側隔壁部４３との間に収納される。つまり、復帰ばね６０は、内側隔壁部４４を通るように配置される。復帰ばね６０は、ベース４の本体部４１の底面から露出した基準電極５１における第２接触部５１７上に配置される。これにより、復帰ばね６０を介して、揺動体６と基準電極５１とが電気的に接続される。
【００７８】
復帰ばね６０は、揺動体６と第２接触部５１７との間で圧縮された状態で、ベース４に収納される。具体的には、リング状の固定部材７によって操作部１の上方への移動が規制されることにより、復帰ばね６０が圧縮された状態でベース４に収納される。固定部材７は、例えば金属で構成されており、中央部に開口部７１を有する円板状に形成されている。固定部材７の開口部７１には、ベース４の本体部における内側隔壁部４４が通される。図６に示すように、内側隔壁部４４における複数の内側突出壁４４１のうち４つの内側突出壁４４１は、爪部４４２を有している。固定部材７は、開口部７１の縁に爪部４４２が係止することによりベース４に取り付けられる。ベース４に取り付けられた固定部材７により、操作部１、及び揺動体６の上方への移動が規制され、復帰ばね６０が圧縮（弾性変形）した状態でベース４に収納される。
【００７９】
次に、可動接点８１、弾性体８２、及び押圧体８３について説明する。
【００８０】
可動接点８１は、導電性を有する金属等で構成されている。可動接点８１は、上方に凸となるようにドーム状に形成されており、上下方向に弾性を有する。可動接点８１は、ベース４における内側隔壁部４４の内側に配置される。可動接点８１は、第１開口部５１６を跨ぐように第１接触部５１５上に配置される。これにより、可動接点８１は、基準電極５１と電気的に接続される。
【００８１】
弾性体８２は、例えば硬質のゴム等で構成されている。弾性体８２は、ベース４の内側隔壁部４４の内側において可動接点８１の上面に接触するように配置される。図８に示すように、弾性体８２は、本体部８２１と、突出部８２２と、接触部８２３と、を有している。本体部８２１は、円柱状に形成されている。突出部８２２は、本体部８２１の下面から突出しており、円柱状に形成されている。接触部８２３は、突出部８２２の下面から突出しており、円錐台状に形成されている。弾性体８２は、接触部８２３の下面が可動接点８１の上面に接触するように配置される。
【００８２】
押圧体８３は、上下方向に移動可能な状態で操作部１に取り付けられる。押圧体８３は、平板状に形成されており、方向Ｄ３及び方向Ｄ４それぞれの両端部から下方に突出した４つの爪部８３１を有している。４つの爪部８３１は、操作部１の貫通孔１３の周囲に形成された４つの貫通孔１１２を通り、操作部１の下面における貫通孔１３の縁に係止される。これにより、押圧体８３が、上下方向に移動可能な状態で操作部１に取り付けられる。また、押圧体８３は、下面から突出した接触部８３２を有している（図８参照）。接触部８３２は、円柱状に形成されており、下面が弾性体８２の上面に接触している。
【００８３】
なお、本実施形態では、図示を省略しているが、操作部１には、操作部１を覆うように化粧ノブが取り付けられる。また、押圧体８３には、押圧体８３を覆うように化粧板が取り付けられる。
【００８４】
（３）動作例
次に、本実施形態の入力装置１００の動作例について説明する。
【００８５】
（３．１）スライド操作入力
ユーザによってスライド操作入力された場合における入力装置１００の動作について説明する。まず、スライド操作入力された場合における、操作部１、連結体２、及び回転体３の動作について図４、図５を参照して説明する。
【００８６】
図４、図５に示すように、連結体２は、操作部１と回転体３とで挟まれた状態で操作部１と回転体３とを連結している。操作部１の一対の第１突出部１４が、連結体２の一対の第１開口部２１に挿通されることにより、操作部１と連結体２とが結合されている。回転体３の一対の第２突出部３５が、連結体２の一対の第２開口部２２に挿通されることにより、回転体３と連結体２とが結合されている。
【００８７】
また、連結体２の一対の第１開口部２１は、方向Ｄ１を長手方向とするように形成されている。言い換えると、第１開口部２１は、方向Ｄ１に延伸している。したがって、操作部１を方向Ｄ１に沿ってスライド移動させると、一対の第１突出部１４が一対の第１開口部２１内を移動する。つまり、操作部１が方向Ｄ１に沿ってスライド移動した場合、連結体２は移動せず、操作部１が連結体２に対して相対的に移動する。
【００８８】
また、連結体２の一対の第２開口部２２は、方向Ｄ２を長手方向とするように形成されている。言い換えると、第２開口部２２は、方向Ｄ２に延伸している。これにより、連結体２は、第２開口部２２の範囲内において、回転体３に対して、方向Ｄ２に沿って相対的に移動可能となる。したがって、操作部１を方向Ｄ２に沿ってスライド移動させると、第２開口部２２の範囲内において操作部１と共に連結体２が移動する。操作部１が方向Ｄ２に沿ってスライド移動した場合、回転体３は移動せず、操作部１及び連結体２が回転体３に対して相対的に移動する。
【００８９】
また、操作部１が、方向Ｄ１及び方向Ｄ２と交差する方向（例えば方向Ｄ３、方向Ｄ４）にスライド移動すると、連結体２に対して操作部１が相対的に移動し、かつ、回転体３に対して連結体２が相対的に移動する。
【００９０】
つまり、操作部１のスライド方向に応じて連結体２が移動することにより、回転体３が固定された状態で操作部１をいずれの方向にもスライド移動させることができる。
【００９１】
次に、操作部１がスライド移動した場合における揺動体６の動作について図８、図９を参照して説明する。図８は、操作部１が基準位置にある場合における入力装置１００の方向Ｄ３及び方向Ｄ５に沿った断面図である。図９は、操作部１が方向＋Ｄ３にスライド移動した場合における入力装置１００の断面図である。
【００９２】
つまり、本開示においては、方向Ｄ１〜方向Ｄ５のそれぞれは、２つの方向を含んでいる。例えば、方向Ｄ３については、図９において右に向かう方向と、左に向かう２つの方向を含んでいる。なお、方向Ｄ３の例で説明すると、右に向かう方向を「方向＋Ｄ３」と表し、左に向かう方向を「方向−Ｄ３」と表すことで、２つの方向を区別して説明する場合がある。方向Ｄ３以外の、方向Ｄ１、Ｄ２、Ｄ４、Ｄ５についても同様に説明する場合がある。
【００９３】
復帰ばね６０によって操作部１の外側リブ１８と揺動体６が接触するように、揺動体６はベース４に収納されている。操作部１がスライド移動すると、操作部１の外側リブ１８が揺動体６の内側リブ６２を摺動する。これにより、図９に示すように、揺動体６は、操作部１のスライド移動方向（方向＋Ｄ３）と反対側の端部（図９の左側の端部）が、操作部１で押し下げられるように傾斜する。
【００９４】
揺動体６の接触部６１の下側には、ベース４の本体部４１の底面から突出するようにスライド用接点部５４３，５５３，５６３，５７３が配置されている（図６参照）。スライド用接点部５４３，５５３，５６３，５７３は、本体部４１の底面の中央部を中心とした円周上において略等間隔（略９０度間隔）に配置されている。揺動体６の接触部６１の端部が押し下げられるように傾斜することによって、スライド用接点部５４３，５５３，５６３，５７３のうち、１つ又は２つのスライド用接点が揺動体６と接触する。図９に示す例では、操作部１が方向＋Ｄ３（図９の右側）にスライド移動することによって、揺動体６における方向Ｄ３に沿った２つの端部のうち、一方の端部（図９では左側の端部）が押し下げられ、揺動体６とスライド用接点部５７３とが接触する。揺動体６は、復帰ばね６０を介して基準電極５１と電気的に接続されている。したがって、揺動体６とスライド用接点部５７３とが接触することによって、基準電極５１と第４スライド用電極５７とが復帰ばね６０及び揺動体６を介して電気的に接続される。これにより、操作検知回路３００（図３参照）は、第４スライド用電極５７と、第４スライド用電極５７に対応するセンサ電極との間の静電容量の変化に基づいて、操作部１が方向＋Ｄ３にスライド移動するようにスライド操作入力されたことを検知することができる。
【００９５】
ここでは詳細な説明を省略するが、操作部１が方向−Ｄ３（図９の左側）にスライド移動した場合、揺動体６とスライド用接点部５５３とが接触する。また、操作部１が方向＋Ｄ１（図６の右側）にスライド移動した場合、揺動体６とスライド用接点部５４３，５７３とが接触する。操作部１が方向−Ｄ１（図６の左側）にスライド移動した場合、揺動体６とスライド用接点部５５３，５６３とが接触する。操作部１が方向＋Ｄ２（図６の上側）にスライド移動した場合、揺動体６とスライド用接点部５６３，５７３とが接触する。操作部１が方向−Ｄ２（図６の下側）にスライド移動した場合、揺動体６とスライド用接点部５４３，５５３とが接触する。操作部１が方向＋Ｄ４（図６の左上側）にスライド移動した場合、揺動体６とスライド用接点部５６３とが接触する。操作部１が方向−Ｄ４図６の右下側）にスライド移動した場合、揺動体６とスライド用接点部５４３とが接触する。これにより、操作検知回路３００は、第１〜第４スライド用電極５４〜５７のそれぞれとセンサ電極との間の静電容量の変化に基づいて、スライド操作入力による操作部１のスライド移動が、方向＋Ｄ１〜＋Ｄ４，−Ｄ１〜−Ｄ４のそれぞれに沿った８つの向きのうちいずれの向きであるかを検知することができる。
【００９６】
このように、本実施形態の入力装置１００では、揺動体６及びスライド用接点部５４３，５５３，５６３，５７３（揺動検知部５０）は、操作部１のスライド移動を検知するスライド検知部５００としての機能を有する（図６、図７参照）。言い換えれば、スライド検知部５００は、揺動体６と、スライド用接点部５４３，５５３，５６３，５７３である揺動検知部５０と、を有する。揺動検知部５０（スライド用接点部５４３，５５３，５６３，５７３）は、揺動体６と接触して導通することにより揺動体６の傾斜を検知する。また、揺動検知部５０は、操作部１の方向Ｄ１のスライド移動に伴う揺動体６の傾斜を検知する第１検知部と、操作部１の方向Ｄ２のスライド移動に伴う揺動体６の傾斜を検知する第２検知部と、を有する。本実施形態では、スライド用接点部５４３，５５３，５６３，５７３は、方向Ｄ１及び方向Ｄ２と交差する方向Ｄ３又は方向Ｄ４に沿った直線上に設けられている。つまり、スライド用接点部５４３，５５３，５６３，５７３の各々は、第１検知部と第２検知部とを兼用している。
【００９７】
また、揺動体６は、復帰ばね６０によって操作部１に押し付けられるように保持されている。したがって、スライド操作入力が解除されると、揺動体６は、復帰ばね６０の弾性力により、傾斜状態から元の状態に戻る。これにより、操作部１は、揺動体６によってスライド移動した位置から基準位置に押し戻される。つまり、揺動体６は、スライド移動した操作部１を基準位置に戻す復帰カムとしての機能を有する。
【００９８】
（３．２）回転操作入力
次に、ユーザによって回転操作入力された場合における入力装置１００の動作について説明する。
【００９９】
図４、図５に示すように、連結体２は、操作部１と回転体３とで挟まれた状態で操作部１と回転体３とを連結している。操作部１の一対の第１突出部１４が、連結体２の一対の第１開口部２１に挿通されることにより、操作部１と連結体２とが結合されている。回転体３の一対の第２突出部３５が、連結体２の一対の第２開口部２２に挿通されることにより、回転体３と連結体２とが結合されている。
【０１００】
連結体２の周方向において、一対の第１突出部１４の外周面と一対の第１開口部２１の内周面とは、接触している、又は間に僅かな隙間がある状態となっている。また、連結体２の周方向において、一対の第２突出部３５の外周面と一対の第２開口部２２の内周面とは、接触している、又は間に僅かな隙間がある状態となっている。したがって、操作部１が回転移動すると、一対の第１突出部１４が一対の第１開口部２１の内周面に接触して連結体２が回転する。連結体２が回転すると、一対の第２突出部３５が一対の第２開口部２２の内周面に接触して回転体３が回転する。つまり、連結体２によって、操作部１の回転動作が回転体３に伝えられ、操作部１の回転に伴って回転体３が回転する。
【０１０１】
回転体３の本体部３１の下面には、回転端子部３３(図５参照)が設けられている。回転端子部３３の下側には、ベース４の本体部４１の底面から突出するように基準接点部５１２、及び回転用接点部５２２，５３２（図６参照）が配置されている。
【０１０２】
基準接点部５１２は、回転端子部３３の内周部３３２（図５参照）に接触している。したがって、基準接点部５１２（図６参照）は、回転体３（図５参照）の回転角度に関わらず、回転端子部３３に接触した状態となる。また、回転用接点部５２２，５３２は、回転端子部３３の外周部３３１に接触している。したがって、回転用接点部５２２，５３２は、回転体３の回転角度に応じて、回転端子部３３と、回転端子部３３の開口部３３３を介して回転体３の本体部３１とのいずれか一方に接触する。
【０１０３】
つまり、回転体３の回転角度に応じて、回転端子部３３を介して、基準電極５１と第１回転用電極５２とが電気的に接続される。また、回転体３の回転角度に応じて、回転端子部３３を介して、基準電極５１と第２回転用電極５３とが電気的に接続される。
【０１０４】
回転用接点部５２２，５３２は、基準電極５１と第１回転用電極５２とが電気的に接続される回転体３の回転角度と、基準電極５１と第２回転用電極５３とが電気的に接続される回転体３の回転角度とがずれるように配置されている。これにより、操作検知回路３００（図３参照）は、第１回転用電極５２及び第２回転用電極５３のそれぞれとセンサ電極との間の静電容量の変化に基づいて、操作部１（回転体３）への回転操作入力の回転角度、及び回転方向を検知することができる。
【０１０５】
（３．３）プッシュ操作入力
次に、ユーザによってプッシュ操作入力された場合における入力装置１００の動作について説明する。
【０１０６】
プッシュ操作入力により押圧体８３（図３参照）が押されると、弾性体８２を介して可動接点８１が押され、可動接点８１が凹むように弾性変形する。可動接点８１は、第１開口部５１６（図７参照）を跨ぐように第１接触部５１５上に配置されており、基準電極５１と電気的に接続されている。また、第１開口部５１６内にはプッシュ用電極５８の先端部５８３（図７参照）が位置している。したがって、押圧体８３が押されて可動接点８１が凹むように変形することによって、可動接点８１が先端部５８３に接触する。これにより、基準電極５１とプッシュ用電極５８とが電気的に接続される。操作検知回路３００（図３参照）は、プッシュ用電極５８とセンサ電極との間の静電容量の変化に基づいて、プッシュ操作入力されたことを検知することができる。
【０１０７】
（４）変形例
以下に、本実施形態の入力装置１００の変形例について列挙する。
【０１０８】
本実施形態では、図４および図５に示すように、連結体２は、第１開口部２１及び第２開口部２２をそれぞれ２つずつ備えているが、これに限らない。連結体２は、第１開口部２１を１つ又は３つ以上備えた構成であってもよい。また、連結体２は、第２開口部２２を１つ又は３つ以上備えた構成であってもよい。
【０１０９】
図４および図５に示すように、連結体２の第１開口部２１及び第２開口部２２は、貫通孔で構成されているが、これに限らない。第１開口部２１及び第２開口部２２は、有底の穴（溝）であってもよい。また、第１開口部２１及び第２開口部２２は、連結体２の内周縁又は外周縁まで形成されていてもよい。
【０１１０】
操作部１の第１突出部１４と連結体２の第１開口部２１との嵌合関係が逆であってもよい。つまり、連結体２が操作部１に向かって突出した突出部を有し、操作部１が連結体２の突出部が入る開口部を有していてもよい。また、回転体３の第２突出部３５と連結体２の第２開口部２２との嵌合関係が逆であってもよい。つまり、連結体２が回転体３に向かって突出した突出部を有し、回転体３が連結体２の突出部が入る開口部を有していてもよい。
【０１１１】
また、第１開口部２１の長手方向である方向Ｄ１と、第２開口部２２の長手方向である方向Ｄ２との交差角度は９０度（直交）に限らず、９０度以外の角度で交差していてもよい。
【０１１２】
また、本実施形態の入力装置１００は、方向＋Ｄ１〜＋Ｄ４，−Ｄ１〜−Ｄ４それぞれに沿った８方向の操作部１のスライド移動を検知可能に構成されているが、検知可能なスライド方向は８方向に限らず、例えば４方向、１６方向等であってもよい。
【０１１３】
また、操作部１の回転に伴って揺動体６が回転しないように、回転防止構造が設けられていてもよい。回転防止構造は、例えば揺動体６の外周形状、及び外側隔壁部４３の内周形状を非円形とすることにより実現できる。
【０１１４】
また、本実施形態では、揺動検知部５０は、スライド用接点部５４３，５５３，５６３，５７３であり、揺動体６と接触して導通することにより揺動体６の傾斜を検知するように構成されているが、これに限らない。例えば、揺動検知部５０は、プッシュスイッチであって、傾斜した揺動体６によって押されることにより揺動体６の傾斜を検知するように構成されていてもよい。また、揺動検知部５０は、例えばホール素子を備え、揺動体６の傾斜を非接触で検知するように構成されていてもよい。
【０１１５】
（５）まとめ
一態様に係る入力装置（１００）は、基準平面に沿った第１方向（Ｄ１）および基準平面に沿った第２方向（Ｄ２）にスライド移動が可能な操作部（１）と、操作部（１）のスライド移動を検知するスライド検知部（５００）と、を備える。スライド検知部（５００）は、揺動体（６）と揺動検知部（５０）とを有し、揺動体（６）は、操作部（１）のスライド移動に伴って、基準平面に対して傾斜し、揺動検知部（５０）は、揺動体（６）の傾斜を検知する。
【０１１６】
この態様によれば、第１方向（Ｄ１）又は第２方向（Ｄ２）に沿った操作部（１）のスライド移動を、１つの揺動体（６）で検知することができるので、構成が簡略化され入力装置（１００）の小型化を図ることができる。
【０１１７】
一態様に係る入力装置（１００）では、揺動検知部（５０）は、前記揺動体（６）と接触することにより前記揺動体（６）の傾斜を検知する。
【０１１８】
この態様によれば、揺動体（６）の傾斜を簡易な構成で検知することができる。
【０１１９】
一態様に係る入力装置（１００）では、揺動検知部（５０）は、揺動体（６）と導通することにより揺動体（６）との接触を検知する。
【０１２０】
この態様によれば、揺動検知部（５０）と揺動体（６）との導通により揺動体（６）の傾斜を検知するので、誤検知を抑制することができる。
【０１２１】
一態様に係る入力装置（１００）では、揺動体（６）は、スライド移動した操作部（１）をスライド移動する前の位置に復帰させる復帰カムを兼ねている。
【０１２２】
この態様によれば、操作部（１）のスライド移動に伴って傾斜する揺動体（６）が、操作部（１）をスライド移動する前の位置に復帰させる復帰カムを兼ねているので、部品点数を削減することができ、入力装置（１００）の小型化を図ることができる。
【０１２３】
一態様に係る入力装置（１００）では、第１方向（Ｄ１）と第２方向（Ｄ２）とは、直交している。
【０１２４】
この態様によれば、互いに直交した４方向への操作部（１）のスライド移動を検知することができる。
【０１２５】
一態様に係る入力装置（１００）では、揺動検知部（５０）は、第１検知部（５４３，５５３，５６３，５７３）と第２検知部（５４３，５５３，５６３，５７３）を有する。第１検知部（５４３，５５３，５６３，５７３）は、揺動体（６）の第１方向（＋Ｄ１）の端部および揺動体（６）の第１方向（＋Ｄ１）と反対の方向（−Ｄ１）の端部とに設けられ、操作部（１）の第１方向（＋Ｄ１）へのスライド移動に伴う揺動体(６)の傾斜を検知する。第２検知部（５４３，５５３，５６３，５７３）は、揺動体（６）の第２方向（＋Ｄ２）の端部および揺動体（６）の第２の方向（＋Ｄ２）と反対の方向（−Ｄ２）の端部に設けられ、操作部（１）の第２方向（＋Ｄ２）へのスライド移動に伴う揺動体（６）の傾斜を検知する。
【０１２６】
この態様によれば、第１検知部（５４３，５５３，５６３，５７３）と第２検知部（５４３，５５３，５６３，５７３）とによって、操作部（１）の第１方向（Ｄ１）又は第２方向（Ｄ２）へのスライド移動を検知することができる。
【０１２７】
一態様に係る入力装置（１００）では、操作部（１）は、リング状の外側リブ（１８）を有する。揺動体（６）は、外側リブ（１８）の内側に配置されたリング状の内側リブ（６２）を有する。操作部（１）がスライド移動すると、操作部（１）の外側リブ（１８）が揺動体（６）の内側リブ（６２）を摺動し、揺動体（６）が傾斜する。
【０１２８】
この態様によれば、簡易な構成で、操作部（１）のスライド移動に伴って揺動体（６）を傾斜させることができる。
【符号の説明】
【０１２９】
１  操作部
２  連結体
３  回転体
４  ベース
５  固定電極
６  揺動体
７  固定部材
１１  本体部
１２  周壁
１３  貫通孔
１４  第１突出部
１５  凹部
１６  凹部
１７  収納空間
１８  外側リブ
２１  第１開口部
２２  第２開口部
２３  貫通孔
２４  第１切り起し片
２５  第２切り起し片
３０  クリックばね
３１，４１  本体部
３２  凹凸部
３３  回転端子部
３４  貫通孔
３５  第２突出部
４２  周壁
４３  外側隔壁部
４４  内側隔壁部
５０  揺動検知部
５１  基準電極
５２  第１回転用電極
５３  第２回転用電極
５４  第１スライド用電極
５５  第２スライド用電極
５６  第３スライド用電極
５７  第４スライド用電極
５８  プッシュ用電極
６１  接触部
６２  内側リブ
６３  貫通孔
６４  鍔部
７１  開口部
８１  可動接点
８２  弾性体
８３  押圧体
１００  入力装置
１０１  保持部材
１１１  第１ボス
１１２  貫通孔
２００  タッチパネル
３００  操作検知回路
３０１  突部
３１１  第２ボス
３２１  凸部
３２２  凹部
３３１  外周部
３３２  内周部
３３３，４５１，４５２，４５３，４５４，４５５，４５６，４５７  開口部
４３１  外側突出壁
４３２，４４２  爪部
４４１  内側突出壁
５００  スライド検知部
５１１，５２１，５３１，５４１，５５１，５６１，５７１，５８１  電極本体
５１２  基準接点部
５１３，５２３，５３３，５４４，５５４，５６４，５７４  接触子
５１４，５４２，５５２，５６２，５７２，５８２  突出片
５１５  第１接触部
５１６  第１開口部
５１７  第２接触部
５１８  第２開口部
５２２，５３２  回転用接点部
５４３，５５３，５６３，５７３  スライド用接点部
５８３  先端部
８２１  本体部
８２２  突出部
８２３，８３２  接触部
８３１  爪部
Ｄ１  方向（第１の方向）
Ｄ２  方向（第２の方向）
Ｄ３  方向
Ｄ４  方向
Ｄ５  方向
【図１】
2019087608.tif 000003
【図２Ａ】
2019087608.tif 000004
【図２Ｂ】
2019087608.tif 000005
【図２Ｃ】
2019087608.tif 000006
【図３】
2019087608.tif 000007
【図４】
2019087608.tif 000008
【図５】
2019087608.tif 000009
【図６】
2019087608.tif 000010
【図７】
2019087608.tif 000011
【図８】
2019087608.tif 000012
【図９】
2019087608.tif 000013
【国際調査報告】
2019087608.tif 000014
2019087608.tif 000015
2019087608.tif 000016
2019087608.tif 000017